(57)【特許請求の範囲】
【請求項１】
天板を支持する支柱の外周面に、同外周面を覆うための複数の木材板を、隣り合うもの同士が同支柱の軸線に平行な端面同士で突き合わされるように取り付けるとともに、
各木材板のうちの少なくとも１つおき毎の木材板を、前記支柱の外周面に対して同木材板が接離可能なように弾性的な付勢力で引き付けて保持する保持手段を介して取り付けたことを特徴とするテーブル。
【請求項２】
前記支柱は、多角形の平断面を有するものであって、同支柱の外周面を形成する複数の外側平面毎に、同外側平面を覆うための木材板を取り付けたことを特徴とする請求項１に記載のテーブル。
【請求項３】
前記保持手段を、
前記支柱の外周面と前記木材板との間に介在されるとともに同外周面及び木材板の裏面に接着されるシート状の樹脂発泡体と、
同支柱の周壁の内側から同木材板に螺合される頭付ボルトと、
同頭付ボルトの頭部と同支柱の周壁内面との間に介在されるばね座金と
により構成し、
前記樹脂発泡体の弾性変形と、前記ばね座金の弾性変形とにより、前記木材板を支柱の外周面に対して接離可能としたことを特徴とする請求項１又は請求項２に記載のテーブル。
【発明の詳細な説明】
【技術分野】
【０００１】
この発明は、支柱により天板を支持したテーブルに関するものである。
【背景技術】
【０００２】
従来、この種のテーブルとしては、例えば特許文献１に記載されたものがある。このテーブルは、床面上に載置される平たい基台、この基台の中央に立設された断面八角形の支柱、及び、この支柱によって中央部が支持された矩形状の天板によって構成されている。さらに、支柱は、基台側に固定される断面八角形の外側柱部と、天板側に固定されるとともに外側柱部の内側に配置される内側柱部とからなっている。内側柱部は、外側柱部の内側において昇降可能に支持されるとともに、外側柱部の内部に設けられた周知のロック機能付のガススプリングにより任意の高さに保持されるようになっている。このテーブルは、天板の中央部が一本の支柱で支持されていることから車椅子での使用時に車椅子が支柱や基台に干渉せず、使い勝手に優れている。
【０００３】
ところで、上記特許文献１のテーブルにおいては、一本の支柱によって天板を支持することから、高い構造強度を要する外側柱部及び内側柱部は共に金属材によって形成されるとともに比較的太いものとなっており、その外観が、使用者に無骨で冷たい印象を与えるものとなっている。そこで、支柱の印象を柔らかくかつ暖かみのあるものとするために、支柱の外側に木材の外観を与えることが考えられる。この方法としては、例えば、外側柱部の外周面全体に木目を印刷したり、木目が印刷されたシートを外側柱部の外周面全体に貼り付けたりすることが考えられる。このようにすれば、支柱が木材の外観となるので、その印象が柔らかくかつ暖かみのあるものとなる。
【特許文献１】特開２００４−８９５７５号公報
【発明の開示】
【発明が解決しようとする課題】
【０００４】
しかしながら、外側柱部の外周壁全体に木目が印刷されたり、木目シートが貼り付けられたりした支柱では、作り物の外観しか得られず、その印象が自然なものとはならない。
そこで、支柱に本物の木材の外観を与えるために、外側柱部の外周壁を形成する複数の平面毎にそれぞれ無垢の木材板をボルト止めすることによって外側柱部の外周面を覆うことが考えられる。この場合、隣り合う平面に取着された木材板同士は、その幅方向における端面同士が突き合わされる。しかしながら、この場合には、テーブルが使用される環境下での湿度変化に応じた各木材板の伸び縮みに伴い、突き合わされている木材板同士が互いに押し合って変形や割れを起こしたり、隣り合う木材板同士の間に隙間ができたりすることが考えられる。さらに、互いに押し合う各木材から外側柱部に対して内向きの力が加わり、この力によって外側柱部が潰れたり捻れたりするように塑性変形することが考えられる。この場合、外側柱部に対する内側柱部の支持状態が悪くなり、外側柱部に対して内側柱部が円滑に昇降しなくなる虞がある。従って、外側柱部の外周に無垢の木材板をボルト止めした構造では、品質低下を招きやすいという問題があった。
【０００５】
この発明の目的とするところは、天板を支持する支柱の外周面を無垢の木材板で覆うことにより本物の木材による外観を有するとともに、木材板の延び縮みによる品質低下を抑制するテーブルを提供することにある。
【課題を解決するための手段】
【０００６】
上記の目的を達成するために、請求項１に記載の発明は、天板を支持する支柱の外周面に、同外周面を覆うための複数の木材板を、隣り合うもの同士が同支柱の軸線に平行な端面同士で突き合わされるように取り付けるとともに、各木材板のうちの少なくとも１つおき毎の木材板を、前記支柱の外周面に対して同木材板が接離可能なように弾性的な付勢力で引き付けて保持する保持手段を介して取り付けたことを特徴とする。
【０００７】
請求項２に記載の発明では、請求項１に記載の発明に加えて、前記支柱は、多角形の平断面を有するものであって、同支柱の外周面を形成する複数の外側平面毎に、同外側平面を覆うための木材板を取り付けたことを特徴とする。
【０００８】
請求項３に記載の発明では、請求項１又は請求項２に記載の発明に加えて、前記保持手段を、前記支柱の外周面と前記木材板との間に介在されるとともに同外周面及び木材板の裏面に接着されるシート状の樹脂発泡体と、同支柱の周壁の内側から同木材板に螺合される頭付ボルトと、同頭付ボルトの頭部と同支柱の周壁内面との間に介在されるばね座金とにより構成し、前記樹脂発泡体の弾性変形と、前記ばね座金の弾性変形とにより、前記木材板を支柱の外周面に対して接離可能としたことを特徴とする。ここで、「ばね座金」とは、一箇所で切り離された螺旋形状のばね座金、皿ばね座金、歯付座金を含む。
【発明の効果】
【０００９】
この発明においては、天板を支持する支柱の外周面が複数の木材板にて覆われ、各木材板は、隣り合うもの同士が支柱の軸線に平行な端面同士で突き合わされる。テーブルが使用される環境下での湿度の上昇に伴って各木材板が膨張すると、隣り合う木材板同士が互いに押し合う力が強くなる。このため、支柱の各外側平面に保持手段を介して取り付けられている各木材板は、両側の木材板から受ける反力により、保持手段の弾性的な付勢力に抗して支柱の外側平面から外側に離れる。この結果、隣り合う木材板同士が押し合うときの力が抑制されるので、各木材板が変形したり割れたりすることが抑制される。一方、テーブルが使用される環境下での湿度の低下に伴って各木材板が収縮すると、隣り合う木材板同士が互いに押し合う力が弱くなるか、木材板同士が互いに押し合わなくなる。このため、支柱の各外側平面に保持手段を介して取り付けられている各木材板は、保持手段の弾性的な付勢力によって外側平面側に引き付けられる。この結果、隣り合う木材板の突き合わせ面間に隙間ができにくい。従って、天板を支持する支柱を無垢の木材板で覆うことにより本物の木材の外観を有するとともに、周囲の環境の湿度変化によって各木材板が伸び縮みしても、その品質低下を抑制するテーブルを提供することができる。
【発明を実施するための最良の形態】
【００１０】
次に、この発明を具体化した一実施形態について図１〜図７に従って説明する。
図１に示すように、テーブル１０は、十字をなすように配置された４本の足１１を備えるとともに、この４本の足１１によって床面上に支持される支柱１２を備え、さらに、支柱１２によって支持される天板１３を備えている。
【００１１】
図２に示すように、正八角形の平断面形状を有する支柱１２は、前記各足１１が固定された外側柱部１４と、この外側柱部１４の内側に配置されるとともに前記天板１３の下面に固定される内側柱部１５とを備えている。平断面が四角形状の内側柱部１５は、外側柱部１４の内側との間に設けられる図示しない案内部材によって外側柱部１４に対して昇降可能に支持されるとともに図示しない周知のロック機能付のガススプリングにより任意の高さに保持されるようになっている。
【００１２】
図３に示すように、正八角形の筒状をなす外側柱部１４は、４枚の金属板１６を連結用の金属片１７を介して環状に連結することによって形成された柱本体部１８を備えている。柱本体部１８において隣り合う両金属板１６の間の外側、すなわち、金属片１７の外側には、略長方形状をなすとともにその外面下端に前記足１１の基端が固定された第１木材板２０が、図４に示すように、６つの頭付ボルト３２（２個のみ図示。）によって柱本体部１８の内側から締め付け固定される。第１木材板２０は、その幅方向における両端面２０ａがテーパ状とされるとともに、幅方向における広い側を外側にして柱本体部１８に取り付けられている。各頭付ボルト３２は、第１木材板２０の裏側に予め埋め込まれた図示しない周知の鬼目ナットに対し、その頭部と金属板１６との間に平座金３３及びばね座金３４を介在して螺合される。なお、前記足１１は、図５に示すように、第１木材板２０に対し、六角孔付き頭付ボルト３１を用いて接合されている。
【００１３】
図３及び図５に示すように、各足１１は、金属板１６材により略十字形状に形成されるとともに柱本体部１８の下端に固定される連結金具２１を介しても柱本体部１８に固定される。図５に示すように、連結金具２１は、柱本体部１８の内側面に対して溶接された複数の円筒金具２２の雌ねじ孔と、各足１１の底面に埋め込まれた鬼目ナット２３とにそれぞれ頭付ボルトを螺合させることによって、柱本体部１８に各足１１を固定するようになっている。
【００１４】
図３〜図５に示すように、柱本体部１８における各金属板１６の外側平面には、前記第１木材板２０と同形状の第２木材板２４が、３つの両面テープ片２５と２つの頭付ボルト２６とによって取り付けられている。第２木材板２４は、幅方向における広い側を外側にするとともに、その幅方向における両端面２４ａが、隣り合う第１木材板２０の同端面２０ａと突き合わされた状態で柱本体部１８に固定されている。すなわち、各第１木材板２０及び各第２木材板２４は、支柱１２の軸線を含む平面上に位置する端面２０ａ，２４ａ同士で突き合わされる。各両面テープ片２５はシート状の樹脂発泡体（例えば、ポリオレフィン系発泡体。）の両面に粘着剤を塗布したものであって弾性変形可能である。両面テープ片２５は、図６に示すように、第２木材板２４の裏面における上端部、中央部及び下端部においてそれぞれ金属板１６との間に介在される。また、各頭付ボルト２６は、第２木材板２４の裏側における幅方向の中央において上端部及び下端部にそれぞれ埋め込まれた鬼目ナット２７に対し、その頭部と金属板１６との間に平座金２８及びばね座金２９を介在して螺合される。この各頭付ボルト２６は、第１木材板２０を柱本体部１８に取り付ける頭付ボルトの締め付けトルクよりも小さい締め付けトルクで締め付けられており、第２木材板２４をばね座金２９の付勢力に抗して柱本体部１８の外面から離すことができるようになっている。各両面テープ片２５は、各頭付ボルト２６の締め付け力により、ある程度まで厚さ方向に弾性圧縮されている。この実施形態では、両面テープ片２５、頭付ボルト２６及びばね座金２９によって保持手段が構成される。
【００１５】
なお、図２に示すように、内側柱部１５と外側柱部１４との間の隙間は、内側柱部１５を挿通させる四角形の孔を有するとともに、第１木材板２０及び第２木材板２４が取り付けられた柱本体部１８の上端に外嵌する蓋体３０によって塞がれる。
【００１６】
次に、上記のように構成された実施形態の作用について説明する。
テーブル１０が使用される環境下での湿度の上昇に伴って各第１木材板２０及び各第２木材板２４が膨張すると、隣り合う第１木材板２０及び第２木材板２４が突き合わせ面間で互いに押し合う力が強くなる。すると、両面テープ片２５と、ばね座金２９を介在させた頭付ボルト２６とによって柱本体部１８の各外側平面に保持されている各第２木材板２４は、両側の第１木材板２０から受ける反力により、図７（ａ）に示すように、ばね座金２９の付勢力に抗して柱本体部１８の外側平面から外側に離れる。このとき、各両面テープ片２５は、弾性圧縮状態からより自然状態に近くなる。この結果、隣り合う第１木材板２０及び第２木材板２４同士が押し合うときの力が抑制されるので、各第１木材板２０及び第２木材板２４が変形したり割れたりすることが抑制される。
【００１７】
また、テーブル１０が使用される環境下での湿度の低下に伴って各第１木材板２０及び各第２木材板２４が収縮すると、隣り合う第１木材板２０及び第２木材板２４が互いに押し合う力が弱くなるか、第１木材板２０及び第２木材板２４同士が押し合わなくなる。すると、各第２木材板２４は、図７（ｂ）に示すように、ばね座金２９の付勢力によって柱本体部１８の外側平面側に引き付けられる。このとき、各両面テープ片２５は、自然状態に近い状態からより強い弾性圧縮状態となる。この結果、隣り合う第１木材板２０及び第２木材板２４間の突き合わせ面間に隙間ができにくい。
【００１８】
このとき、第２木材板２４を柱本体部１８の外側平面に引き付けているばね座金２９に加えられた初期荷重が比較的小さいと、第２木材板２４が外側平面側に引き付けられるに伴って、ばね座金２９が第２木材板２４を引き付ける付勢力が弱くなる。しかし、第２木材板２４は、両面テープ片２５によって柱本体部１８の外側平面に確実に保持されるとともに、弾性変形状態の各両面テープ片２５から頭付ボルト２６を介して加わる力によっても柱本体部１８の外側平面により確実に保持される。
【００１９】
従って、この実施形態においては、天板１３を支持する支柱１２の外側柱部１４の柱本体部１８に対し、それぞれ無垢の第１木材板２０と第２木材板２４とを、隣り合うもの同士を突き合わせるとともに各第２木材板２４が独立して外側に変位可能な状態で取り付ける。さらに、各第２木材板２４を、両面テープ片２５と、ばね座金２９を介在させた頭付ボルト２６とにより、柱本体部１８の外側平面に対し弾性的な付勢力で引き付けた状態で取り付ける。このため、テーブル１０が使用される環境下の湿度が上昇しても、第１木材板２０と第２木材板２４とが互いに強く押し合わないので、第１木材板２０や第２木材板２４が変形を起こしたり割れたりすることがない。また、環境下の湿度が低下しても、各第１木材板２０と各第２木材板２４間との間に隙間ができにくいので、見栄えが悪くならない。さらに、第１木材板２０と第２木材板２４とが互いに強く押し合わず、第１木材板２０及び第２木材板２４から外側柱部１４に対して内向きの力が加わらないので、外側柱部１４が潰れたり捻れたりするように塑性変形することはない。このため、外側柱部１４に対する内側柱部１５の支持状態が悪くなることはなく、外側柱部１４に対して内側柱部１５が円滑に昇降しなくなる虞がない。従って、天板１３を支持する支柱１２を無垢の第１木材板２０及び第２木材板２４で覆うことにより、柔らかく暖かみのある本物の木材の外観を有するとともに、その木材の伸び縮みによる品質低下を招くことがないテーブル１０を提供することができる。
【００２０】
なお、この実施形態は、次のように変更して具体化することもできる。
・  ばね座金２９に代えて、皿ばね座金や歯付座金を用いてもよい。
・  各第２木材板２４の幅方向における両端面２４ａを、図７（ａ），（ｂ）に二点鎖線で示すように、支柱１２の軸線に平行としてもよい。
【００２１】
・  前記各足１１を第１木材板２０に固定せず、柱本体部１８の下方から柱本体部１８に直接固定するとともに、各第１木材板２０を、第２木材板２４と同様に、両面テープ片２５と頭付ボルトとによって柱本体部１８に取り付けてもよい。
【００２２】
・  第１木材板２０と第２木材板２４の幅及び厚さの少なくとも一方を異ならせてもよい。
・  図８に示すように、金属板１６の外面の複数箇所に、板ばね材からなる係合片４０をそれぞれ固定する。また、第１木材板２０の裏面において係合片４０に対応する位置に、それぞれ係合片４０を嵌合させるための金具４１をそれぞれ取り付ける。そして、図９に示すように、各係合片４０に対してそれぞれ金具４１を嵌合させることより、柱本体部１８の外側平面に対して第１木材板２０を取り付けるとともに、各係合片４０の弾性変形によって、柱本体部１８の外側平面に対して第１木材板２０が接離可能な構成としてもよい。この場合には、係合片４０及び金具４１が保持手段を構成する。
【００２３】
・  この発明を、天板１３を昇降させる機能を持たないテーブルに具体化してもよい。
・  この発明を、三〜七角形、又は、九角形以上の多角形の平断面形状を有するテーブルに具体化してもよい。
【００２４】
・  この発明を、２本以上の数の支柱によって天板を支持するようにしたテーブルに具体化してもよい。
・  この発明を、平断面が円形の支柱の外周面に、複数の木材板を、隣り合うもの同士が突き合わされるように取り付けたテーブルに具体化してもよい。
【図面の簡単な説明】
【００２５】
【図１】一実施形態のテーブルを示す斜視図。
【図２】同じく分解斜視図。
【図３】支柱を示す分解斜視図。
【図４】外側柱部を示す平断面図。
【図５】外側柱部を示す底面図。
【図６】金属板及び第２木材板を示す斜視図。
【図７】（ａ），（ｂ）は、共に第１木材板及び第２木材板の一部を示す平断面図。
【図８】他の実施形態における金属板及び第２木材板を示す斜視図。
【図９】同じく金属板及び第２木材板の縦断面図。
【符号の説明】
【００２６】
１０…テーブル、１２…支柱、１３…天板、２０…第１木材板、２０ａ…端面、２４…第２木材板、２４ａ…端面、２５…保持手段を構成する両面テープ片、２６…同じく頭付ボルト、２９…同じくばね座金、４０…保持手段を構成する係合片、４１…同じく金具。
【図１】
0004630796.tif 000002
【図２】
0004630796.tif 000003
【図３】
0004630796.tif 000004
【図４】
0004630796.tif 000005
【図５】
0004630796.tif 000006
【図６】
0004630796.tif 000007
【図７】
0004630796.tif 000008
【図８】
0004630796.tif 000009
【図９】
0004630796.tif 000010